(57)【要約】【課題】柱上変圧器の二次側の入力電圧の急峻な電圧変動を生じた場合に出力電圧を不感帯幅から逸脱することなく制御することができる電圧調整装置を提供する。【解決手段】電圧調整装置は、高圧配電系統１と低圧配電系統２を接続する柱上変圧器３の二次側に接続される２つの直列変圧器４，５と、これら２つの直列変圧器の二次側に接続される電力変換部を含む調整電圧発生部１０と、柱上変圧器の二次側の入力電圧を検出する電圧検出部２１と、この電圧検出部で検出した入力電圧の電圧変化率を演算する電圧変化率演算部２２と、この電圧変化率演算部の演算結果に基づいて電力変換部の動作開始電圧を設定する動作開始電圧設定部２３と、電圧検出部で検出した入力電圧と、動作開始電圧設定部で設定した動作開始電圧とに基づいて電力変換部を制御する電力変換制御部２４とを備えている。【選択図】図１
2017169362.tif 000002
【特許請求の範囲】
【請求項１】
高圧配電系統と低圧配電系統を接続する柱上変圧器の二次側に接続される２つの直列変圧器と、
上記２つの直列変圧器の二次側に接続される電力変換部を含む調整電圧発生部と、
前記柱上変圧器の二次側の入力電圧を検出する電圧検出部と、
該電圧検出部で検出した入力電圧の電圧変化率を演算する電圧変化率演算部と、
該電圧変化率演算部の演算結果に基づいて前記電力変換部の動作開始電圧を設定する動作開始電圧設定部と、
前記電圧検出部で検出した入力電圧と、前記動作開始電圧設定部で設定した動作開始電圧とに基づいて前記電力変換部を制御する電力変換制御部と
を備えたことを特徴とする電圧調整装置。
【請求項２】
前記電力変換制御部は、入力電圧が前記動作開始電圧を超えたときに、前記電力変換部を動作させて前記直列変圧器の出力電圧が電圧変動許容範囲の最大値に一定となるように制御することを特徴とする請求項１に記載の電圧調整装置。
【請求項３】
前記電力変換制御部は、前記電圧検出部で検出した入力電圧が動作開始電圧設定部で設定した動作開始電圧を超えている状態から動作停止範囲内となったときに、前記電力変換部の出力電圧を零に制御してから停止させることを特徴とする請求項１又は２に記載の電圧調整装置。
【発明の詳細な説明】
【技術分野】
【０００１】
本発明は、柱上変圧器の二次側の低圧配電系統の電圧変動を抑制する電圧調整装置に関する。
【背景技術】
【０００２】
この種の電圧調整装置としては、例えば特許文献１に記載されているものが提案されている。
この電圧調整装置は、高圧配電線路と低圧配電線路を接続する柱上変圧器と、低圧配電線路に接続された、需要家負荷または分散型電源で構成される電力系統において、柱上変圧器と、その二次側に直列に一次側を接続される２つの直列変圧器と、これら２つの直列変圧器の一次側をバイパスするバイパススイッチと、低圧配電線路の電圧測定値を入力として目標電圧との電圧偏差を演算する調整電圧制御回路と、この調整電圧制御回路の出力に基づいて２つの直列変圧器の二次側に電圧を発生させるインバータ、コンバータ及び平滑コンデンサで構成される調整電圧発生回路とを備えている。
【先行技術文献】
【特許文献】
【０００３】
【特許文献１】特開２００５−３４１６６８号公報
【発明の概要】
【発明が解決しようとする課題】
【０００４】
上記特許文献１に記載された従来例にあっては、低圧配電線路の電圧測定値すなわち２つの直列変圧器の出力側の出力電圧Ｖｏを検出し、検出した出力電圧Ｖｏと目標電圧Ｖｒｅｆとの電圧偏差ΔＶを算出し、算出した電圧偏差ΔＶに基づいて２つの直列変圧器の二次側に電圧偏差ΔＶ相当の電圧を発生させて柱上変圧器の二次側の入力電圧Ｖｉに加算するようにしている。
【０００５】
この電圧調整動作について図５を伴って説明する。
この図５では、目標電圧Ｖｒｅｆを中心とし、許容範囲を表す不感帯として上限値Ｖｕ及び下限値Ｖｄが設定されている。そして、時点ｔ１から時点ｔ２の直前までの間では、入力電圧Ｖｉ及び出力電圧Ｖｏが不感帯幅内となるので、調整電圧発生回路は動作を停止するとともに、２つの直列変圧器の一次側のバイパススイッチが閉じられ、出力電圧Ｖｏは入力電圧Ｖｉと同じ値となる。
【０００６】
その後、時点ｔ２で入力電圧Ｖｉが上昇して不感帯幅上限値を超えると、バイパススイッチを開き、調整電圧発生回路を制御することで、出力電圧Ｖｏは不感帯幅上限値で一定に制御される。
そして、時点ｔ３で、入力電圧Ｖｉが減少して不感帯幅内に入ると、この時点ｔ３でハンチング防止用のタイマが動作されて、タイマがタイムアップする時点ｔ４で調整電圧発生回路が停止されるとともに、バイパススイッチが閉じられる。このため、時点ｔ４から入力電圧Ｖｉ及び出力電圧Ｖｏが一致した状態で不感帯幅内となる。
【０００７】
このような電圧調整制御を行なうことにより、入力電圧Ｖｉが変動して不感帯幅を超えたときに、出力電圧Ｖｏを不感帯幅上限値及び下限値で一定に制御することができる。また、入力電圧Ｖｉが不感帯幅内の場合には調整電圧発生回路の動作を停止させることにより、調整電圧発生回路を構成するインバータを停止させることよって、インバータの運転損失を低減し、高圧配電系統から低圧配電系統への変換効率低下を抑制し、さらには電圧調整装置全体の長寿命化を図っている。
【０００８】
このときの、入力電圧Ｖｉと出力電圧Ｖｏとの特性は、図６に示すように、入力電圧Ｖｉが不感帯幅内にある状態では、入力電圧Ｖｉと出力電圧Ｖｏとが一致して変化し、出力電圧Ｖｏが不感帯上限値及び不感帯下限値に達すると、出力電圧Ｖｏが不感帯上限値及び不感帯下限値に一定に維持される。そして、出力電圧Ｖｏが不感帯上限値及び不感帯下限値を維持している状態から不感帯幅内に移行すると、タイマが動作されてこのタイマが差タイムアップすると出力電圧Ｖｏが入力電圧Ｖｉと一致する。
【０００９】
ところで、上記従来例にあっては、入力電圧Ｖｉに、図７に示すように、時点ｔ１１で急峻な電圧変動を生じて時点ｔ１２で入力電圧Ｖｉが不感帯幅上限値を超えた場合には、バイパススイッチを開き、調整電圧発生回路の出力電圧を制御する一連の動作の制御遅れによっては、出力電圧Ｖｏが不感帯幅上限値を超えてしまうことが考えられる（図７における丸印Ａ参照）。
【００１０】
つまり、電圧変動の許容値と不感帯幅上限値とを同じ値に設定している場合には、出力電圧Ｖｏが許容値を逸脱してしまうことになる。また、この電圧逸脱量を考慮して、不感帯上限値を低めに設定すると、インバータの停止期間が短くなることで、効率低下や長寿命化が図れないことが考えられる。
そこで、本発明は上記従来例の課題に着目したなされたものであり、柱上変圧器の二次側の入力電圧の急峻な電圧変動を生じた場合に出力電圧を不感帯幅から逸脱することなく制御することができる電圧調整装置を提供することも目的としている。
【課題を解決するための手段】
【００１１】
上記目的を達成するために、本発明に掛かる電圧制御装置の一態様は、高圧配電系統と低圧配電系統を接続する柱上変圧器の二次側に接続される２つの直列変圧器と、これら２つの直列変圧器の二次側に接続される電力変換部を含む調整電圧発生部と、柱上変圧器の二次側の入力電圧を検出する電圧検出部と、この電圧検出部で検出した入力電圧の電圧変化率を演算する電圧変化率演算部と、この電圧変化率演算部の演算結果に基づいて前記電力変換部の動作開始電圧を設定する動作開始電圧設定部と、電圧検出部で検出した入力電圧と、動作開始電圧設定部で設定した動作開始電圧とに基づいて前記電力変換部を制御する電力変換制御部とを備えている。
【発明の効果】
【００１２】
本発明の一態様によれば、柱上変圧器の二次側の入力電圧に急峻な電圧変動が生じた場合に、出力電圧を電圧変動許容範囲の最大値を逸脱することなく制御することができる。
【図面の簡単な説明】
【００１３】
【図１】本発明に係る電圧調整装置の一実施形態を示すブロック図である。
【図２】図１の動作開始電圧設定部で使用する制御マップを示す図である。
【図３】入力電圧と出力電圧との関係を示す特性線図である。
【図４】本実施形態の動作の説明に供する信号波形図である。
【図５】従来例の入力電圧が緩やかに変化する場合の信号波形図である。
【図６】従来例の入力電圧と出力電圧との関係を示す特性線図である。
【図７】従来例の入力電圧が急峻に変化する場合の信号波形図である。
【発明を実施するための形態】
【００１４】
次に、図面を参照して、本発明の一実施の形態を説明する。
以下に示す実施の形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された請求項が規定する技術的範囲内において、種々の変更を加えることができる。
【００１５】
まず、本発明の一の態様を表す電圧調整装置の一実施形態について説明する。
電圧調整装置は、図１に示すように、高圧配電系統１と３つのａ相ラインＬａ、中性相ラインＬｎ及びｂ相ラインＬｂを有する単相３線式の低圧配電系統２とを接続する柱上変圧器３を備えている。ここで、ラインＬｎは接地され、ラインＬａ及びＬｎ間とラインＬｎ及びＬｂ間とがそれぞれ１００Ｖとなり、ラインＬａ及びＬｂ間が２００Ｖとなる。
【００１６】
柱上変圧器３の二次側にはａ相ラインＬａ及びｂ相ラインＬｂに個別に直列に接続された２つの直列変圧器４及び５が接続され、これら直列変圧器４及び５の二次側にはバイパススイッチ６及び７が接続されている。また、直列変圧器４及び５の二次側には調整電圧発生部１０が接続されている。
調整電圧発生部１０は、第１電力変換部１１と、平滑用コンデンサ１２と、第２電力変換部１３とで構成されている。第１電力変換部１１は、柱上変圧器３の二次側の２００Ｖの単相交流電圧が入力され、入力された交流電圧を直流電圧に変換する例えばインバータで構成されている。平滑用コンデンサ１２は第１電力変換部１１から出力される直流電圧を平滑化して第２電力変換部１３に入力する。第２電力変換部１３は、平滑用コンデンサ１２から入力される直流電圧を交流電圧に変換して、直列変圧器４及び５の二次側に出力する例えばインバータで構成されている。
【００１７】
そして、調整電圧発生部１０の第１電力変換部１１及び第２電力変換部１３とバイパススイッチ６及び７とが電力変換制御部２０によって制御される。この電力変換制御部２０は、電圧検出部２１、電圧変化率演算部２２、動作開始電圧設定部２３及び電力変換制御部２４を備えている。
電圧検出部２１は、柱上変圧器３から出力される低圧配電系統２の入力電圧Ｖｉ（実効値）及び電圧位相θを検出し、検出した入力電圧Ｖｉを電圧変化率演算部２２へ出力するとともに、入力電圧Ｖｉ及び電圧位相θを電力変換制御部２４へ出力する。
【００１８】
電圧変化率演算部２２は、電圧検出部２１から入力される入力電圧Ｖｉの単位時間当たりの電圧変化率を演算し、演算した電圧変化率を動作開始電圧設定部２３へ出力する。
動作開始電圧設定部２３は、電圧変化率演算部２２から入力される電圧変化率δＶに基づいて第２電力変換部１３の動作を開始させる動作開始電圧Ｖｓｔｒを設定する。すなわち、動作開始電圧設定部２３では、電圧変化率δＶをもとに図２に示す許容範囲設定マップを参照して、動作開始電圧Ｖｓｔｒを設定する。
【００１９】
この許容範囲設定マップは、図２に示すように、電圧変化率δＶが零から増加して設定値＋δＶｓに達するまでは、動作開始電圧Ｖｓｔｒを最大上限値ＵＶｍａｘに設定し、電圧変化率δＶが設定値＋δＶｓを超えると電圧変化率δＶの増加に応じて動作開始電圧Ｖｓｔｒが最大上限値ＵＶｍａｘから徐々に減少し、最小上限値ＵＶｍｉｎに達すると以後電圧変化率δＶが増加しても設定上限値ＵＶｍｉｎを維持する。
【００２０】
同様に、電圧変化率δＶが零から減少して設定値−δＶｓに達するまでは、動作開始電圧−Ｖｓｔｒを最大下限値ＬＶｍａｘに設定し、電圧変化率δＶが設定値−δＶｓを超えると電圧変化率δＶの減少に応じて動作開始電圧−Ｖｓｔｒが最大下限値ＬＶｍａｘから徐々に増加し、最小下限値ＬＶｍｉｎに達すると以後電圧変化率−δＶが減少しても最小下限値ＬＶｍｉｎを維持する。
【００２１】
電力変換制御部２４は、電圧検出部２１で検出した入力電圧Ｖｉ及び電圧位相θが入力されるとともに、動作開始電圧設定部２３から動作開始電圧±Ｖｓｔｒが入力される。そして、入力電圧Ｖｉが最大上限値ＵＶｍａｘ及び最大下限値ＬＶｍａｘで規定される電圧変動許容範囲内にあって、＋Ｖｓｔｒ＞Ｖｉ＞−Ｖｓｔｒの範囲内にあるときには、バイパススイッチ６及び７を閉状態とするスイッチ信号ＳＷを出力し、第２電力変換部１３の動作を停止させる動作停止信号を出力する。この状態から、Ｖｉ≧＋Ｖｓｔｒ（又はＶｉ≦−Ｖｓｔｒ）となると、バイパススイッチ６及び７を開状態とするスイッチ信号ＳＷを出力するとともに、出力電圧Ｖｏが最大上限値ＵＶｍａｘ（又は最大下限値ＬＶｍａｘ）を維持するように入力電圧Ｖｉと最大上限値ＵＶｍａｘ（又は最大下限値ＬＶｍａｘ）との電圧偏差ΔＶに相当する電圧指令値Ｖｔを調整電圧発生部１０の第２電力変換部１３に出力し、且つ第２電力変換部１３への動作停止信号ＳＭの出力を停止する。
【００２２】
ここで、電圧指令値Ｖｔは、直列変圧器４及び５の一次側に対する二次側の巻数比が１対ｍである場合、電圧指令値ＶｔはΔＶ×ｍに設定される。このとき、ａ相ラインＬａに加えられる電圧ΔＶａはａ相ラインＬａ及び中性ラインＬｎ間の入力電圧Ｖａｎの位相θａと同位相となるように制御される。また、ｂ相ラインに加える電圧ΔＶｂは、ｂ相ラインＬｂ及び中性ラインＬｎ間の入力電圧Ｖｂｎの位相θｂ（入力電圧Ｖａｎの位相θａと１８０°の位相差を有する）と同位相となるように制御される。
【００２３】
また、電力変換制御部２４は、入力電圧Ｖｉが電圧変動許容範囲を超えてから電圧変動許容範囲内に復帰した場合には、入力電圧Ｖｉが動作停止電圧±Ｖｓｔｐで規定される動作停止範囲内（＋Ｖｓｔｐ≧Ｖｉ≧−Ｖｓｔｐ）となったときに、第２電力変換部１３に対する電圧指令値Ｖｔを所定変化率で零まで減少させ、電圧指令値Ｖｔが零となった時点で第２電力変換部１３の動作停止信号ＳＭを出力する。これと同時に、バイパススイッチ６及び７を閉状態とするスイッチ信号ＳＷを出力する。ここで、動作停止電圧±Ｖｓｔｐは、第２電力変換部１３の損失との兼ね合いで決定する。
【００２４】
上記のように構成することにより、入力電圧Ｖｉと出力電圧Ｖｏとの関係は、図３に示す特性を有することになる。すなわち、入力電圧Ｖｉが零から増加する場合には、電圧変化率（電圧上昇率）によって変化する動作開始電圧＋Ｖｓｔｒに達したときに、出力電圧Ｖｏが最大上限値ＵＶｍａｘに制御される。逆に出力電圧Ｖｏが最大上限値ＵＶｍａｘから入力電圧Ｖｉに一致するように減少するタイミングは、入力電圧Ｖｉが減少して動作停止電圧＋Ｖｓｔｐに達した時点となる。
【００２５】
同様に、入力電圧Ｖｉが零から減少する場合には、電圧変化率（電圧減少率）によって変化する動作開始電圧−Ｖｓｔｒに達したときに、出力電圧Ｖｏが最大下限値ＬＶｍａｘに制御される。逆に出力電圧Ｖｏが最大下限値ＬＶｍａｘから入力電圧Ｖｉに一致するように増加するタイミングは、入力電圧Ｖｉが増加して動作停止電圧−Ｖｓｔｐに達した時点となる。
【００２６】
次に、上記実施形態の動作について図４を参照して説明する。
今、柱上変圧器３から出力される入力電圧Ｖｉが時点ｔ２１で、図４に示すように、電圧変動許容範囲内（ＵＶｍａｘ≧Ｖｉ≧ＬＶｍａｘ）にあるものとする。この時点ｔ２１では、入力電圧Ｖｉが減少傾向にあり、電圧変化率演算部２２で算出される入力電圧Ｖｉの電圧変化率δＶが設定値−δＶｓより大きいので、動作開始電圧設定部２３で動作開始電圧Ｖｓｔｒが最大上限値ＵＶｍａｘ及び最大下限値ＬＶｍａｘに設定される。
【００２７】
このため、電力変換制御部２４では、入力電圧Ｖｉが＋Ｖｓｔｒ＞Ｖｉ＞−Ｖｓｔｒとなるので、電力変換制御部２４では、バイパススイッチ６及び７を閉状態とするスイッチ信号ＳＷを出力するとともに、第１電力変換部１１に対しては駆動状態を継続する動作信号を出力し、第２電力変換部１３に対しては駆動を停止する動作停止信号ＳＭを出力する。
【００２８】
このため、直列変圧器４及び５の二次側がバイパススイッチ６及び７でバイパスされることにより、入力電圧Ｖｉと出力電圧Ｖｏとが等しい値となる。
その後、入力電圧Ｖｉの減少傾向が継続し、時点ｔ２２で入力電圧Ｖｉが上昇を開始すると、この時点ｔ２２では入力電圧Ｖｉの電圧変化率＋δＶが設定値＋δＶｓ未満であるので、動作開始電圧設定部２３で動作開始電圧＋Ｖｓｔｒとして最大上限値ＵＶｍａｘが継続して設定される。
【００２９】
そして、時点ｔ２３で入力電圧Ｖｉの電圧変化率＋δＶが設定値＋δＶｓを超えると、電圧変化率＋δＶの増加に応じて動作開始電圧Ｖｓｔｒが徐々に減少する。
そして、時点ｔ２４で、入力電圧Ｖｉが動作開始電圧Ｖｓｔｒを超える状態となると、電力変換制御部２４からバイパススイッチ６及び７を開状態とするスイッチ信号ＳＷが出力されとともに、第２電力変換部１３に対する動作停止信号ＳＭの出力を停止し、且つ入力電圧Ｖｉと最大上限値ＵＶｍａｘとの電圧偏差−ΔＶに応じた電圧指令値Ｖｔを第２電力変換部１３へ出力する。
【００３０】
このため、第２電力変換部１３が動作を開始し、電圧指令値Ｖｔに応じた出力電圧−ΔＶａ及び−ΔＶｂを直列変圧器４及び５の二次側に出力する。
このため、直列変圧器４及び５の一次側に電圧偏差ΔＶに相当する調整電圧ΔＶａ及びΔＶｂが発生され、これらが入力電圧Ｖｉに加えられるので、出力電圧Ｖｏは最大上限値ＵＶｍａｘに維持される。
【００３１】
その後、時点ｔ２５で入力電圧Ｖｉが電圧変動許容範囲を超えても出力電圧Ｖｏは最大上限値ＵＶｍａｘに維持される。
その後、時点ｔ２６で入力電圧Ｖｉが電圧変動許容範囲内に復帰するが、動作停止電圧＋Ｖｓｔｐまでは低下しない状態では、電力変換制御部２４による出力電圧Ｖｏを最大上限値ＵＶｍａｘに維持する制御が継続される。
【００３２】
このため、時点ｔ２７で、入力電圧Ｖｉが再度電圧変動許容範囲を超えた場合でも、電力変換制御部２４による出力電圧Ｖｏを最大上限値ＵＶｍａｘに維持する制御が継続される。
その後、時点ｔ２８で入力電圧Ｖｉが電圧変動許容範囲内となり、次いで時点ｔ２９で入力電圧Ｖｉが動作停止電圧＋Ｖｓｔｐより低下して＋Ｖｓｔｐ≧Ｖｉ≧−Ｖｓｔｐの動作停止範囲内となると、電力変換制御部２４で電圧指令値Ｖｔを所定変化率で零まで減少させる。
【００３３】
そして、電圧指令値Ｖｔが零となった時点ｔ３０で電力変換制御部２４からバイパススイッチ６及び７を閉状態とするスイッチ信号ＳＷを出力するとともに、第２電力変換部１３の動作を停止させる動作停止信号ＳＭを出力する。
このように、上記実施形態によると、電圧変化率演算部２２で入力電圧Ｖｉの電圧変化率δＶを演算し、演算した電圧変化率δＶに基づいて第２電力変換部１３の動作を開始させる動作開始電圧Ｖｓｔｒを設定する。このため、入力電圧Ｖｉが増加（又は減少）する際の電圧変化率δＶが小さいときには、動作開始電圧Ｖｓｔｒが最大上限値ＵＶｍａｘ（又は最大下限値ＬＶｍａｘ）に設定される。このため、第２電力変換部１３の動作開始が入力電圧が最大上限値ＵＶｍａｘ（又は最大下限値ＬＶｍａｘ）に達したときに行なわれ、第２電力変換部１３での損失を十分に低減することができる。
【００３４】
これに対して、入力電圧Ｖｉが増加（又は減少）する際の電圧変化率δＶが大きいときには、これに応じて動作開始電圧Ｖｓｔｒが電圧変動許容範囲の最大上限値ＵＶｍａｘ（又は最大下限値ＬＶｍａｘ）より小さい値に設定される。このため、入力電圧Ｖｉが最大上限値ＵＭｍａｘ（又は最大下限値ＬＶｍａｘ）に達する前に、バイパススイッチ６及び７が開状態に制御されるとともに、第２電力変換部１３が動作開始されて出力電圧Ｖｏを最大上限値ＵＭｍａｘ（又は最大下限値ＬＶｍａｘ）に維持する制御が開始される。したがって、入力電圧Ｖｉの電圧変動が急峻である場合でも、出力電圧Ｖｏが電圧変動許容範囲を逸脱することを確実に防止することができる。
【００３５】
また、入力電圧Ｖｉが電圧変動許容範囲を超えた後は、入力電圧Ｖｉが動作停止電圧Ｖｓｔｐで規定される動作停止範囲内となるまで第２電力変換部１３の動作及びバイパススイッチ６及び７の開状態が継続され、入力電圧Ｖｉが動作停止範囲内となったときに、第２電力変換部１３に対する電圧指令値Ｖｔを所定変化率で零まで低下させ、電圧指令値Ｖｔが零となったときに、第２電力変換部１３の動作を停止させるとともにバイパススイッチ６及び７を閉状態に復帰させる。
【００３６】
したがって、入力電圧Ｖｉが電圧変動許容範囲を逸脱しないように制御するとともに、電圧調整装置の動作期間を短くすることで、第２電力変換部１３の損失を最小限にして高効率、長寿命化を図り、また、バイパススイッチ６及び７の長寿命かを図ることができる。
ちなみに、前述した従来例では、入力電圧Ｖｉが不感帯幅を超えた状態から不感帯幅内に復帰したときにタイマを動作させて、タイマがタイムアップしたときに、調整電圧発生部の動作を停止させるようにしている。このため、図７に示すように、入力電圧Ｖｉが不感帯幅上限値を超えている状態から時点ｔ１３で不感帯幅内に戻ると、タイマが動作されてこのタイマがタイムアップした時点ｔ１４で出力電圧Ｖｏが入力電圧Ｖｉに一致するように減少するが、その直後の時点ｔ１５で再度入力電圧Ｖｉが不感帯幅上限値を超えると、すぐにバイパススイッチを開き、調整電圧発生回路のインバータを動作させることになる（図７における丸印Ｂ参照）。このため、バイパススイッチの開閉頻度が増えることで、バイパススイッチの寿命低下も考えられる。
【００３７】
これに対して、本実施形態では、上述したように、タイマを使用することなく、入力電圧Ｖｉが動作停止電圧Ｖｓｔｐで規定される動作停止範囲内となったときに、第２電力変換部１３の出力電圧を零にしてから動作を停止させるとともに、バイパススイッチ６及び７を閉状態に制御するので、バイパススイッチの開閉頻度を減少させて長寿命化を図ることができる。
【００３８】
なお、上記実施形態においては、調整電圧発生部１０の第１電力変換部１１をインバータで構成した場合について説明したが、これに限定されるものではなく、コンバータで構成することもできる。
また、上記実施形態では、動作開始電圧設定部２３で参照する制御マップが、図２に示す特性を有する場合について説明したが、これに限定されるものではなく、図２で一点鎖線図示のように、電圧変化率δＶが零から変化した場合に、動作開始電圧±Ｖｓｔｐも変化する特性とすることもできる。また、動作開始電圧±Ｖｓｔｐを直線的に変化させる場合に代えて曲線的に変化させるようにしてもよい。
【００３９】
また、上記実施形態では、入力電圧Ｖｉが電圧変動許容範囲外から範囲内に復帰した場合に、入力電圧Ｖｉが動作停止電圧±Ｖｓｔｐで設定される動作停止範囲内となったときに、第２電力変換部１３の出力電圧を零にしてから動作停止にする場合について説明した。本発明は上記構成に限定されるものではなく、前述した従来例のように、タイマを使用して第２電力変換部１３の動作停止とバイパススイッチ６及び７の閉状態への復帰とを行なうようにしてもよい。
【００４０】
また、上記実施形態では、電圧変動許容範囲を最大上限値ＵＶｍａｘ及び最大下限値ＬＶｍａｘの範囲に設定した場合について説明したが、これに限定されるものではなく、低圧配電系統に、太陽電池、燃料電池等の別系統電力が供給される場合のように、入力電圧Ｖｉが下限値ＬＶ側に減少することがない場合には、電圧変動許容範囲を最大上限値ＵＶｍａｘと零との範囲に設定することができる。これに応じて動作開始電圧も＋Ｖｓｔｒのみを設定することができる。
【符号の説明】
【００４１】
１…高圧配電系統、２…低圧配電系統、３…柱上変圧器、４，５…直列変圧器、６，７…バイパススイッチ、１０…調整電圧発生部、１１…第１電力変換部、１２…平滑用コンデンサ、１３…第２電力変換部、２０…電力変換制御部、２１…電圧検出部、２２…電圧変化率演算部、２３…動作開始電圧設定部、２４…電力変換制御部
【図１】
2017169362.tif 000003
【図２】
2017169362.tif 000004
【図３】
2017169362.tif 000005
【図４】
2017169362.tif 000006
【図５】
2017169362.tif 000007
【図６】
2017169362.tif 000008
【図７】
2017169362.tif 000009